(57)【要約】【課題】フィルターの目詰まりを防止するとともに、トナーを安定して回収することが可能なトナー回収装置、およびこれを備えた画像形成装置を提供する。【解決手段】トナー回収ユニット８は、ハウジング８０と、流入口８００と、第１ファン８３と、第１フィルター部８１と、振動モーター８１２Ａと、を備える。第１ファン８３は、ハウジング８０の内部に配置され、流入口８００から流入した空気流を吸気するとともにハウジング８０の外部に排気する。第１フィルター部８１は、フレーム８１０と、第１フィルター８１１と、を備え、第１ファン８３よりも空気流の流れの上流側に配置される。フレーム８１０は、第１フィルター８１１を包持する。振動モーター８１２Ａは、フレーム８１０を介して第１フィルター８１１を振動させる。フレーム８１０はフィルター軸部９５において回動可能に軸支されている。【選択図】図７
2014228825.tif 000002
【特許請求の範囲】
【請求項１】
ハウジングと、
前記ハウジングに開口され、空気流とともにトナーが流入する流入口と、
前記ハウジングの内部に配置され、前記流入口から流入した前記空気流を吸気するとともに、前記ハウジングの外部に排気するファンと、
前記空気流の流れの経路上において前記ファンよりも上流側に配置され、前記トナーを捕集しかつ前記空気流が通過するフィルターと、
軸部を備え、前記軸部を回転支点として前記ハウジングに回動可能に支持され、前記フィルターを包持するホルダーと、
前記ホルダーに固定され、前記ホルダーを介して前記フィルターを振動させる振動手段と、
を有することを特徴とするトナー回収装置。
【請求項２】
前記振動手段は、回転軸を備え、前記回転軸回りの回転振動を発生する振動モーターであり、
前記回転軸の軸方向と前記軸部の軸方向とが平行となるように、前記軸部および前記振動モーターが前記ホルダーに配置されていることを特徴とする請求項１に記載のトナー回収装置。
【請求項３】
前記フィルターは、周面として、前記空気流が進入する進入面と、前記進入面とは反対側で前記空気流が排気される排気面と、を含む六面を備える直方体形状からなり、
前記ホルダーは、前記六面のうち前記進入面と交差する第一の面を覆う第１の壁部と、前記第一の面とは反対側の第二の面を覆う第２の壁部とを備え、
前記回転軸が前記第一の面と平行となるように、前記振動モーターが前記第１の壁部に配置され、
前記軸部は前記第１の壁部よりも前記第２の壁部に近い位置に配置されることを特徴とする請求項２に記載のトナー回収装置。
【請求項４】
前記フィルターは、前記進入面が下方に面するように配置され、
前記振動モーターは、前記第１の壁部の上側の端縁に配置され、
前記回転支点が前記第２の壁部の下端側に配置されるように、前記軸部が前記ホルダーに配置されていることを特徴とする請求項３に記載のトナー回収装置。
【請求項５】
前記フィルターの前記排気面が前記第２の壁部側から前記第１の壁部側に向かって先下がりに傾斜するように、前記ホルダーが前記ハウジングに支持されていることを特徴とする請求項３または４に記載のトナー回収装置。
【請求項６】
前記軸部は前記振動モーターよりも上方に配置されていることを特徴とする請求項５に記載のトナー回収装置。
【請求項７】
前記空気流の流れの経路上において前記流入口と前記ファンとの間に配置され、前記空気流を下方から上方に向かって誘導する誘導ダクト部を更に有し、
前記フィルターは、前記誘導ダクト部の上方において前記進入面が下方に面するように配置されていることを特徴とする請求項１乃至６の何れか１項に記載のトナー回収装置。
【請求項８】
前記流入口から流入した前記空気流を、前記誘導ダクト部の側方部分から前記誘導ダクト部に流入させる導入部と、
前記導入部よりも下方の前記誘導ダクト部に配置され、前記振動手段の振動によって前記フィルターから落下したトナーが貯留される貯留部と、
を更に有することを特徴とする請求項７に記載のトナー回収装置。
【請求項９】
シートにトナー像を形成する画像形成部と、
請求項１乃至８の何れか１項に記載のトナー回収装置と、
前記画像形成部から空気流とともに不要トナーを回収し、前記流入口に流入させる回収ダクトと、
を有することを特徴とする画像形成装置。
【発明の詳細な説明】
【技術分野】
【０００１】
本発明は、プリンター等の画像形成装置に用いられ、トナーを回収するトナー回収装置、およびこれを備えた画像形成装置に関する。
【背景技術】
【０００２】
電子写真方式を利用した、複写機、プリンター、ファクシミリ等の画像形成装置は、像担持体（例えば、感光体ドラムや転写ベルト）上に形成された静電潜像にトナーを供給して該静電潜像を現像することにより、像担持体上にトナー像を形成する。トナーは、現像装置に貯留され、現像装置に配置された現像ローラーから像担持体にトナーが供給される。
【０００３】
現像装置に貯留されたトナーのうち、帯電の低いトナーは現像装置の周囲に飛散しやすい。前記飛散トナーは画像形成装置の装置本体の内外を汚染することがある。特許文献１には、飛散トナーを回収するための集塵装置が装着された画像形成装置が開示されている。また、該技術では、飛散トナーによるフィルターの目詰まりを防止するために、フィルターを振動させる振動手段が設けられている。
【先行技術文献】
【特許文献】
【０００４】
【特許文献１】特開２００７−２９８７８２号公報
【発明の概要】
【発明が解決しようとする課題】
【０００５】
しかしながら、特許文献１に記載の技術では、矩形形状のフィルターが左右方向に面して配置され、飛散トナーを回収する複数の排気ダクトが上下に隣接して、かつ、前記フィルターに対向して配置される。この結果、振動手段の振動によってフィルターから落下した飛散トナーが下方に位置する排気ダクトを塞いでしまい、飛散トナーの回収性が低下するという課題があった。
【０００６】
本発明は、上記のような課題を解決するためになされたものであり、フィルターの目詰まりを防止するとともに、トナーを安定して回収することが可能なトナー回収装置、およびこれを備えた画像形成装置を提供することを目的とする。
【課題を解決するための手段】
【０００７】
本発明の一局面に係るトナー回収装置は、ハウジングと、前記ハウジングに開口され、空気流とともにトナーが流入する流入口と、前記ハウジングの内部に配置され、前記流入口から流入した前記空気流を吸気するとともに、前記ハウジングの外部に排気するファンと、前記空気流の流れの経路上において前記ファンよりも上流側に配置され、前記トナーを捕集しかつ前記空気流が通過するフィルターと、軸部を備え、前記軸部を回転支点として前記ハウジングに回動可能に支持され、前記フィルターを包持するホルダーと、前記ホルダーに固定され、前記ホルダーを介して前記フィルターを振動させる振動手段と、を有することを特徴とする。
【０００８】
本構成によれば、流入口からハウジングに流入した空気流は、ファンによって吸気されるとともに、ハウジングの外部に排気される。トナーは流入口から空気流とともに流入され、フィルターによって捕集される。振動手段は、フィルターを包持するホルダーに固定され、ホルダーを介してフィルターを振動させる。この際、ホルダーは軸部回りに回動可能とされながら支持されている。このため、振動手段の振動が、ホルダーの軸部回りの振動に変換される。この結果、フィルターに捕集されたトナーが、前記振動によってフィルターから好適に脱離される。したがって、フィルターの目詰まりが防止され、トナー回収装置の回収性能が安定して維持される。
【０００９】
上記の構成において、前記振動手段は、回転軸を備え、前記回転軸回りの回転振動を発生する振動モーターであり、前記回転軸の軸方向と前記軸部の軸方向とが平行となるように、前記軸部および前記振動モーターが前記ホルダーに配置されていることが望ましい。
【００１０】
本構成によれば、振動モーターから発生された回転軸回りの回転振動が、ホルダーの軸部回りの振動に効率的に変換される。この結果、フィルターに捕集されたトナーが、前記振動によってフィルターからより好適に脱離される。
【００１１】
上記の構成において、前記フィルターは、周面として、前記空気流が進入する進入面と、前記進入面とは反対側で前記空気流が排気される排気面と、を含む六面を備える直方体形状からなり、前記ホルダーは、前記六面のうち前記進入面と交差する第一の面を覆う第１の壁部と、前記第一の面とは反対側の第二の面を覆う第２の壁部とを備え、前記回転軸が前記第一の面と平行となるように、前記振動モーターが前記第１の壁部に配置され、前記軸部は前記第１の壁部よりも前記第２の壁部に近い位置に配置されることが望ましい。
【００１２】
本構成によれば、振動モーターは第１の壁部に配置され、ホルダーの軸部は第２の壁部側に配置される。この結果、ホルダーの軸部回りの回動における径方向において、軸部から最も遠い領域に振動モーターが配置される。このため、ホルダーの振動における振幅が増大され、ホルダーの振動がより効率的に実現される。
【００１３】
上記の構成において、前記フィルターは、前記進入面が下方に面するように配置され、前記振動モーターは、前記第１の壁部の上側の端縁に配置され、前記回転支点が前記第２の壁部の下端側に配置されるように、前記軸部が前記ホルダーに配置されていることが望ましい。
【００１４】
本構成によれば、フィルターを介して振動モーターと回転支点とが対角の位置に配置される。このため、ホルダーの軸部回りの回動における径方向において、より軸部から遠い位置に振動モーターが配置される。
【００１５】
上記の構成において、前記フィルターの前記排気面が前記第２の壁部側から前記第１の壁部側に向かって先下がりに傾斜するように、前記ホルダーが前記ハウジングに支持されていることが望ましい。
【００１６】
本構成によれば、フィルターの排気面の近傍に捕集されていたトナーは、ホルダーの振動によって、第１の壁部側に移動する。そして、前記トナーはより振動モーターに近い位置で振動されることによって、フィルターの内部を移動しながら進入面から下方に脱離される。このため、フィルターの排気面側に捕集されていたトナーを効率的に脱離させることができる。
【００１７】
上記の構成において、前記軸部は前記振動モーターよりも上方に配置されていることが望ましい。
【００１８】
本構成によれば、フィルターの排気面の近傍に捕集されていたトナーを、より効率的に第１の壁部側に移動させることができる。
【００１９】
上記の構成において、前記空気流の流れの経路上において前記流入口と前記ファンとの間に配置され、前記空気流を下方から上方に向かって誘導する誘導ダクト部を更に有し、前記フィルターは、前記誘導ダクト部の上方において前記進入面が下方に面するように配置されていることが望ましい。
【００２０】
本構成によれば、振動手段によってフィルターから脱離されたトナーは、フィルターの下方に落下する。このため、前記トナーがフィルターに再付着することが抑止される。
【００２１】
上記の構成において、前記流入口から流入した前記空気流を、前記誘導ダクト部の側方部分から前記誘導ダクト部に流入させる導入部と、前記導入部よりも下方の前記誘導ダクト部に配置され、前記振動手段の振動によって前記フィルターから落下したトナーが貯留される貯留部と、を更に有することが望ましい。
【００２２】
本構成によれば、導入部は、流入口から流入した空気流を、誘導ダクト部の側方部分から誘導ダクト部に流入させる。そして、フィルターから落下したトナーが貯留される貯留部は、導入部よりも下方の誘導ダクト部に配置される。このため、貯留部に貯留されたトナーが誘導ダクト部への空気流の流れを妨げることが抑止される。
【００２３】
本発明の他の局面に係る画像形成装置は、シートにトナー像を形成する画像形成部と、上記の何れか１に記載のトナー回収装置と、前記画像形成部から空気流とともに不要トナーを回収し、前記流入口に流入させる回収ダクトと、を有することを特徴とする。
【００２４】
本構成によれば、画像形成部から不要トナーを安定して回収することができる。このため、画像形成装置の内部または外部において、前記トナーによる汚染が好適に抑止される。
【発明の効果】
【００２５】
本発明によれば、フィルターの目詰まりを防止するとともに、トナーを安定して回収することが可能なトナー回収装置、およびこれを備えた画像形成装置が提供される。
【図面の簡単な説明】
【００２６】
【図１】本発明の実施形態に係る画像形成装置の内部構造を示す断面図である。
【図２】本発明の実施形態に係る現像装置およびトナー回収装置の斜視図である。
【図３】本発明の実施形態に係る現像装置およびトナー回収装置の斜視図である。
【図４】本発明の実施形態に係る現像装置および回収ダクトの拡大斜視図である。
【図５】本発明の実施形態に係るトナー回収ユニットの内部の斜視図である。
【図６】本発明の実施形態に係るフィルターおよびホルダーの斜視図である。
【図７】本発明の実施形態に係るトナー回収ユニットの内部の断面図である。
【図８】本発明の変形実施形態に係るトナー回収ユニットの内部の断面図である。
【発明を実施するための形態】
【００２７】
以下、図面に基づいて、本発明の実施形態につき詳細に説明する。図１は、本発明の一実施形態に係る画像形成装置１の内部構造を示す断面図である。ここでは、画像形成装置１として、プリンター機能と複写機能とを備えた複合機を例示するが、画像形成装置は、プリンター、複写機、ファクシミリ装置であってもよい。
【００２８】
＜画像形成装置の説明＞
画像形成装置１は、略直方体形状の筐体構造を有する装置本体１０と、装置本体１０上に配置される自動原稿給送装置２０とを備える。装置本体１０の内部には、複写する原稿画像を光学的に読み取る読取ユニット２５と、シートにトナー像を形成する画像形成部３０と、前記トナー像をシートに定着させる定着部６０と、画像形成部３０へ搬送されるシートを貯留する給紙部４０と、シートを給紙部４０又は給紙トレイ４６から画像形成部３０及び定着部６０を経由してシート排出口１０Ｅまで搬送する搬送経路５０と、この搬送経路５０の一部を構成するシート搬送路を内部に有する搬送ユニット５５とが収容されている。
【００２９】
画像形成部３０は、シート上にトナー像を形成する。すなわち、画像形成部３０は、フルカラーのトナー画像を生成しこれをシート上に転写する処理を行うもので、タンデムに配置されたイエロー（Ｙ）、マゼンタ（Ｍ）、シアン（Ｃ）及びブラック（Ｂｋ）の各トナー像を形成する４つのユニット３２Ｙ、３２Ｍ、３２Ｃ、３２Ｂｋを含む画像形成ユニット３２と、該画像形成ユニット３２の上に隣接して配置された中間転写ユニット３３と、中間転写ユニット３３上に配置されたトナー補給部３４とを含む。
【００３０】
各画像形成ユニット３２Ｙ、３２Ｍ、３２Ｃ、３２Ｂｋは、感光体ドラム３２１と、この感光体ドラム３２１の周囲に配置された、帯電器３２２、露光器３２３、現像装置３２４、一次転写ローラー３２５及びクリーニング装置３２６とを含む。
【００３１】
感光体ドラム３２１は、その軸回りに回転し、その周面に静電潜像及びトナー像を担持する。感光体ドラム３２１としては、アモルファスシリコン（ａ−Ｓｉ）系材料を用いた感光体ドラムを用いることができる。帯電器３２２は、感光体ドラム３２１の表面を均一に帯電する。露光器３２３は、レーザー光源とミラーやレンズ等の光学系機器とを有し、感光体ドラム３２１の周面に、原稿画像の画像データに基づく光を照射して、静電潜像を形成する。感光体ドラム３２１は、像担持体として機能する。
【００３２】
現像装置３２４は、感光体ドラム３２１上に形成された静電潜像を現像するために、感光体ドラム３２１の周面にトナーを供給する。現像装置３２４は、２成分現像剤用のものであり、スクリューフィーダー、磁気ローラー、及び現像ローラーを含む。図１に示されるように、各色の現像装置３２４は水平方向（左右方向）に隣接して配置される。
【００３３】
一次転写ローラー３２５は、中間転写ユニット３３に備えられている中間転写ベルト３３１を挟んで感光体ドラム３２１とニップ部を形成し、感光体ドラム３２１上のトナー像を中間転写ベルト３３１上に一次転写する。クリーニング装置３２６は、クリーニングローラー等を有し、トナー像転写後の感光体ドラム３２１の周面を清掃する。
【００３４】
中間転写ユニット３３は、中間転写ベルト３３１、駆動ローラー３３２及び従動ローラー３３３を備える。中間転写ベルト３３１は、駆動ローラー３３２及び従動ローラー３３３に架け渡された無端ベルトであって、該中間転写ベルト３３１の外周面には、複数の感光体ドラム３２１からトナー像が、同一箇所に重ねて転写される。中間転写ベルト３３１は図１では反時計回りに回転される。中間転写ベルト３３１は、像担持体として機能する。
【００３５】
駆動ローラー３３２の周面に対向して、二次転写ローラー３５が配置されている。二次転写ローラー３５は、中間転写ベルト３３１からトナー像をシートに転写させる。駆動ローラー３３２と二次転写ローラー３５とのニップ部は、中間転写ベルト３３１に重ね塗りされたフルカラーのトナー像をシートに転写する二次転写部となる。駆動ローラー３３２又は二次転写ローラー３５のいずれか一方のローラーに、トナー像と逆極性の二次転写バイアス電位が印加され、他方のローラーは接地される。また、駆動ローラー３３２よりも、中間転写ベルト３３１の回転方向上流側の位置には、中間転写ベルト３３１の周面に対向する位置に、濃度センサー３５Ａが対向配置されている。濃度センサー３５Ａは、中間転写ベルト３３１上に形成された画像の濃度に応じた電気信号を出力する。
【００３６】
トナー補給部３４は、イエロー用トナーコンテナ３４Ｙ、マゼンタ用トナーコンテナ３４Ｍ、シアン用トナーコンテナ３４Ｃ、及びブラック用トナーコンテナ３４Ｂｋを含む。これらトナーコンテナ３４Ｙ、３４Ｃ、３４Ｍ、３４Ｂｋは、それぞれ各色のトナーを貯留するものであり、ＹＭＣＢｋ各色に対応する画像形成ユニット３２Ｙ、３２Ｍ、３２Ｃ、３２Ｂｋの現像装置３２４に、図略の供給経路を通して各色のトナーを供給する。
【００３７】
給紙部４０は、画像形成処理が施されるシートを収容する２段の給紙カセット４０Ａ、４０Ｂを備える。これら給紙カセット４０Ａ、４０Ｂは、装置本体１０の前方から手前方向に引出可能である。給紙部４０は、二次転写ローラー３５に向かって搬送されるシートを収容する。給紙部４０は、前述の現像装置３２４よりも下方に配置される。
【００３８】
定着部６０は、シートにトナー像を定着させる定着処理を施す誘導加熱方式の定着装置であって、加熱ローラー６１、定着ローラー６２、加圧ローラー６３、定着ベルト６４及び誘導加熱ユニット６５を含む。定着ローラー６２に対して加圧ローラー６３が圧接され、定着ニップ部が形成されている。加熱ローラー６１及び定着ベルト６４は誘導加熱ユニット６５によって誘導加熱され、その熱を前記定着ニップ部に与える。シートが定着ニップ部を通過することで、シートに転写されたトナー像が当該シートに定着される。
【００３９】
画像形成装置１は、更に、回収ダクト７およびトナー回収ユニット８（トナー回収装置）を備える。図２および図３は、本実施形態に係る現像装置３２４、回収ダクト７およびトナー回収ユニット８の斜視図である。図４は、本実施形態に係る現像装置３２４および回収ダクト７を後方から見た拡大斜視図である。
【００４０】
図２および図３を参照して、回収ダクト７は、隣接して配置される各色の現像装置３２４（３２４Ｙ、３２４Ｍ、３２４Ｃ、３２４Ｂｋ）の後方に配置される。回収ダクト７は、画像形成部３０の現像装置３２４の内部から空気流とともにトナーを回収し、後記のトナー回収ユニット８の流入口８００に流入させる。図２を参照して、回収ダクト７は、現像装置３２４から前記トナーを略水平方向に搬送する。なお、他の実施形態において、回収ダクト７は、現像装置３２４の周辺に飛散したトナーを回収するダクトであってもよい。回収ダクト７は、メインダクト７０と、イエローダクト７１と、マゼンタダクト７２と、シアンダクト７３と、ブラックダクト７４と、を備える。メインダクト７０は、現像装置３２４の後方において、左右方向に延設されるダクトである。メインダクト７０の内部には、各色の現像装置３２４から回収されたトナーがそれぞれ搬送される複数の排気風路が互いに平行に配設される（図４のブラック用排気風路７０Ａ参照）。イエローダクト７１、マゼンタダクト７２、シアンダクト７３およびブラックダクト７４は、各色の現像装置３２４の内部から回収したトナーを、メインダクト７０の前記排気風路に流入させる。
【００４１】
図４を参照して、各色の現像装置３２４（３２４Ｙ、３２４Ｍ、３２４Ｃ、３２４Ｂｋ）は、現像ローラー１０１（１０１Ｙ、１０１Ｍ、１０１Ｃ、１０１Ｂｋ）を備える。現像ローラー１０１は、周面にトナーを担持し、感光体ドラム３２１に前記トナーを供給する。また、各色の現像装置３２４の内部には、トナーを攪拌するとともに、現像ローラー１０１にトナーを供給する不図示のスクリューが配置される。更に、各色の現像装置３２４は、排出口１０２（１０２Ｙ、１０２Ｍ、１０２Ｃ、１０２Ｂｋ）を備える。排出口１０２は、現像装置３２４の内部に連通され、現像装置３２４から後方に向かって配置される。図４では、シアンダクト７３の図示を省略することで、シアン用排出口１０２Ｃが露出して示されている。各色の排出口１０２に、イエローダクト７１、マゼンタダクト７２、シアンダクト７３およびブラックダクト７４が連結され、現像装置３２４からメインダクト７０に飛散トナーを含む空気流が搬入される。前述のように、メインダクト７０の内部には、複数の排気風路が互いに平行に配設される。図４では、ブラック用排気風路７０Ａが示されている。同様に、他の色の排気風路も、メインダクト７０の内部に配置される。ブラックダクト７４を介して、ブラック用排気風路７０Ａに流入した空気流は、図４の矢印Ｄ４１に示すように、メインダクト７０の左端部に導かれる。
【００４２】
トナー回収ユニット８は、メインダクト７０の左端部分に連結される。トナー回収ユニット８は、メインダクト７０よりも下方に配置される。
【００４３】
＜トナー回収ユニット８の構造について＞
次に、図５乃至図７を参照して、本実施形態に係るトナー回収ユニット８の構造について説明する。図５は、本実施形態に係るトナー回収ユニット８の内部の斜視図である。図６は、本実施形態に係る第１フィルター部８１の斜視図である。図７は、トナー回収ユニット８の内部の断面斜視図である。トナー回収ユニット８は、画像形成部３０から不要なトナーを回収する。本実施形態では、前述のように現像装置３２４の内部から不要トナーとして飛散トナーが回収される。
【００４４】
図５を参照して、トナー回収ユニット８は、ハウジング８０と、第１フィルター部８１と、第２フィルター部８２と、第１ファン８３（ファン）と、第２ファン８４（ファン）と、排気部８５と、を有する。
【００４５】
ハウジング８０は、略直方体形状からなる。ハウジング８０は、トナー回収ユニット８の外観を画定するとともに、内部に第１フィルター部８１、第２フィルター部８２、第１ファン８３および第２ファン８４を収容する。また、ハウジング８０の内部には、空気流が案内される複数のダクト部が配置される。ハウジング８０は、前壁８０Ｆ（図７参照）と、後壁８０Ｒと、左壁８０Ｃと、右壁８０Ｄと、右内壁８０Ｄ１（図５）とを備える。前壁８０Ｆは、ハウジング８０の前側の壁部であり、後壁８０Ｒは、ハウジング８０の後側の壁部である。また、左壁８０Ｃは、ハウジング８０の左側の壁部であり、右壁８０Ｄは、ハウジング８０の右側の壁部である。また、右内壁８０Ｄ１は、右壁８０Ｄの内側に間隔をおいて配置される内壁部である。右内壁８０Ｄ１は、後記のダクト下降部８０２とダクト上昇部８０Ｕとを画定する。更に、ハウジング８０は、流入口８００と、上部ダクト８０１と、ダクト下降部８０２と、ダクト上昇部８０Ｕと、底部８０Ｔ（貯留部）とを有する。底部８０Ｔは、ハウジング８０の底部であり、後記の下部ダクト８０３の底面を画定する。
【００４６】
流入口８００はハウジング８０に開口され、空気流とともにトナーが流入口８００に流入する。流入口８００は、ハウジング８０の上端側に配置される。前述のメインダクト７０の複数の排気風路は、流入口８００の直前で合流された後、流入口８００に連通される。
【００４７】
上部ダクト８０１は、ハウジング８０の上端部に形成された空間部である。上部ダクト８０１は、流入口８００に対向して配置される。また、上部ダクト８０１は、ダクト下降部８０２に連通される。
【００４８】
ダクト下降部８０２は、上部ダクト８０１の右端部に連通される。すなわち、ダクト下降部８０２は、ハウジング８０の内部において、上部ダクト８０１を介して流入口８００に連通して配置される。ダクト下降部８０２は、前記空気流を下方に向かってハウジング８０の底部８０Ｔに誘導する。ダクト下降部８０２は、ハウジング８０の右端部において、上下方向に延設されるダクト部である。
【００４９】
ダクト上昇部８０Ｕは、ハウジング８０の内部において、ダクト下降部８０２に水平方向において隣接して配置される。ダクト上昇部８０Ｕは、底部８０Ｔにおいてダクト下降部８０２に連通され、前記空気流を上方に誘導する。ダクト上昇部８０Ｕは、底部８０Ｔから、第１ファン８３が配置される領域まで、上下方向に延設される。ダクト上昇部８０Ｕは、下部ダクト８０３（誘導ダクト部）を備える。下部ダクト８０３は、前記空気流の流れの経路上において流入口８００と第１ファン８３および第２ファン８４との間に配置され、前記空気流を下方から上方に向かって誘導する。下部ダクト８０３は、ダクト上昇部８０Ｕの下方部分に配置される。また、前述のように、底部８０Ｔは、下部ダクト８０３の底面を画定する。
【００５０】
ダクト下降部８０２と、ダクト上昇部８０Ｕの下部ダクト８０３とは、導入部８０２Ｔによって連通される。換言すれば、導入部８０２Ｔは、流入口８００から流入した前記空気流を、下部ダクト８０３の側方部分（右側部分）から下部ダクト８０３に流入させる。そして、底部８０Ｔは、導入部８０２Ｔよりも下方の下部ダクト８０３に配置される。
【００５１】
第１フィルター部８１は、前記空気流の流れの経路上において、第１ファン８３および第２ファン８４よりも上流側に配置される。第１フィルター部８１は、下部ダクト８０３の上方において、空気流が進入する後記のフィルター下面部８１１Ｂが下方に面するように配置される。第１フィルター部８１は、空気流とともに流入口８００から流入したトナーを捕集し、かつ、前記空気流を通過させる。第１フィルター部８１は、ダクト上昇部８０Ｕの下方部分に配置される。第１フィルター部８１は、上下方向に所定の厚さを備えた直方体形状からなる。
【００５２】
第２フィルター部８２は、前記空気流の流れの経路上において第１ファン８３および第２ファン８４と第１フィルター部８１との間に配置される。第２フィルター部８２は、第１フィルター部８１によって捕集しきれなかったトナーを捕集し、かつ、前記空気流を通過させる。第２フィルター部８２は、上下方向に所定の厚さを備えた直方体形状からなる。
【００５３】
第１ファン８３および第２ファン８４は、ハウジング８０の内部に配置され、流入口８００から流入した空気流を吸気するとともに、ハウジング８０の外部に排気する。第１ファン８３および第２ファン８４は、下方から流入した空気流を左方に向かって排気する。第１ファン８３および第２ファン８４は、ダクト上昇部８０Ｕの上方部分に配置される。図５に示すように、第１ファン８３および第２ファン８４は、第２フィルター部８２の上方に所定の間隔をおいて配置される。第１ファン８３は、ダクト上昇部８０Ｕの上端部の右方部分に配置される。また、第２ファン８４は、ダクト上昇部８０Ｕの左方部分であって、上下方向において第１ファン８３よりも下方にずれた位置に配置される。このように、本実施形態では、ダクト上昇部８０Ｕの上方部分において、複数のファンが配置される。また、第１ファン８３および第２ファン８４が鉛直方向において重ならない位置に配置されることによって、第１ファン８３および第２ファン８４から排気される空気流の排気路が重なることが抑止される。換言すれば、第１ファン８３および第２ファン８４の前記配置によって、空気流が上下方向において分散して効率的に左方に排気される。
【００５４】
排気部８５は、前記空気流の流れの経路において第１ファン８３および第２ファン８４よりも下流側のダクト上昇部８０Ｕに連通される。排気部８５は、前記空気流を水平方向（左方向）に向かって誘導しハウジング８０の外部に排気する。図５に示されるように、排気部８５は、ハウジング８０の左側側面において、第１フィルター部８１から第１ファン８３までの領域に対向して配置される。
【００５５】
排気部８５は、上部排気フィルター８５１および下部排気フィルター８５２を備える。上部排気フィルター８５１および下部排気フィルター８５２は、第１ファン８３および第２ファン８４よりも前記空気流の流れの経路上の下流側に配置され、前記空気流を通過させる。上部排気フィルター８５１は、水平方向において、第１ファン８３および第２ファン８４に対向して配置される。また、下部排気フィルター８５２は、上部排気フィルター８５１の下方に配置される。第１ファン８３および第２ファン８４から排出された空気流は、排気部８５の内部において鉛直方向に拡散され、上部排気フィルター８５１および下部排気フィルター８５２を通過しながら、ハウジング８０の外部に排気される。
【００５６】
図６を参照して、前述の第１フィルター部８１は、フレーム８１０（ホルダー）と、第１フィルター８１１（フィルター）と、振動ユニット８１２とを備える。
【００５７】
第１フィルター８１１は、周面として、空気流が進入するフィルター下面部８１１Ｂ（進入面）（図７）と、フィルター下面部８１１Ｂとは反対側で空気流が排気されるフィルター上面部８１１Ａ（排気面）と、を含む六面を備える直方体形状からなる。そして、第１フィルター８１１は、下部ダクト８０３の上方において、フィルター下面部８１１Ｂが下方に面するように配置されている。第１フィルター８１１には、公知の粉塵用フィルターが採用可能とされる。本実施形態では、第１フィルター８１１は、所定の密度を備えた不図示の濾紙を含む。該濾紙は、直径１〜１０μｍのガラス繊維からなる。前記ガラス繊維の充填率は約１０％程度であり、繊維間の空隙は１０〜５０μｍに設定される。
【００５８】
フレーム８１０は、ハウジング８０に支持され、第１フィルター８１１を包持する。フレーム８１０は、第１フィルター８１１のうち４つの側面（フィルター下面部８１１Ｂと交差する四面）の周囲を取り囲むように配置される。フレーム８１０は、第１フィルター８１１のフィルター下面部８１１Ｂおよびフィルター上面部８１１Ａと平行な端縁（フレーム８１０の上縁と下縁）を含む。フレーム８１０は、第１フィルター８１１の前記４つの側面を覆う壁部からなる。
【００５９】
詳しくは、フレーム８１０は、前フレーム８１０Ａ（第１の壁部）と、後フレーム８１０Ｂ（第２の壁部）と、左フレーム８１０Ｃと、右フレーム８１０Ｄとを備える。前フレーム８１０Ａは、第１フィルター８１１の六面のうち前側の側面（第一の面）を覆う。後フレーム８１０Ｂは、第１フィルター８１１の六面のうち後側の側面（第二の面）を覆う。左フレーム８１０Ｃは、第１フィルター８１１の六面のうち左側の側面を覆う。右フレーム８１０Ｄは、第１フィルター８１１の六面のうち右側の側面を覆う。
【００６０】
更に、フレーム８１０は、左スポンジ９３と、右スポンジ９４と、フィルター軸部９５（軸部）とを備える。左スポンジ９３および右スポンジ９４は、それぞれフレーム８１０の左フレーム８１０Ｃおよび右フレーム８１０Ｄの外側に貼り付けられた板状のスポンジ部材である。左スポンジ９３および右スポンジ９４は、後記の振動ユニット８１２が発生する振動がハウジング８０に伝達されることを防止する。フィルター軸部９５は、左フレーム８１０Ｃおよび右フレーム８１０Ｄの後端部から左右方向に向かって突設される一対軸部である。フィルター軸部９５は、左スポンジ９３および右スポンジ９４を貫通して突設される。フィルター軸部９５は、ハウジング８０の左壁８０Ｃおよび右内壁８０Ｄ１（図５）に配置された不図示の孔部に挿通される。この結果、フレーム８１０は、フィルター軸部９５を回転支点としてハウジング８０に回動可能に支持されている。
【００６１】
振動ユニット８１２は、フレーム８１０に固定され、フレーム８１０を介して第１フィルター８１１を振動させる。振動ユニット８１２は、振動モーター８１２Ａ（振動手段）と、不図示の回路基板とを備える。振動モーター８１２Ａは、モーター軸８１２Ｂ（回転軸）と、錘８１２Ｃとを備える。図７を参照して、モーター軸８１２Ｂは、左右方向に延伸されたシャフトである。錘８１２Ｃは、モーター軸８１２Ｂの先端部に偏心した状態で固定される。モーター軸８１２Ｂが回転されると、錘８１２Ｃの回転によって、振動モーター８１２Ａから振動が発生する。換言すれば、振動モーター８１２Ａは、モーター軸８１２Ｂ回りの回転振動を発生する。本実施形態では、モーター軸８１２Ｂの軸方向とフィルター軸部９５の軸方向とが平行となるように、フィルター軸部９５および振動モーター８１２Ａがフレーム８１０に配置されている。
【００６２】
図７を参照して、ハウジング８０は、更に、左リブ８０Ｃ１（支持部）と、突出壁８０Ｆ１と、後スポンジ９２とを備える。左リブ８０Ｃ１は、左壁８０Ｃ（図５）の内壁部分から右方に向かって突設されたリブである。左リブ８０Ｃ１は、左右方向に所定の幅をもって前後方向に延伸される板状部材である。左リブ８０Ｃ１は、フィルター軸部９５とは異なる位置で、フレーム８１０を支持する。本実施形態では、第１フィルター８１１を包持した状態のフレーム８１０が自重によって左リブ８０Ｃ１に当接する。フレーム８１０が左リブ８０Ｃ１に当接することによって、フィルター軸部９５回りに回動可能なフレーム８１０の落下が防止される。すなわち、左リブ８０Ｃ１は、フレーム８１０の回り止め機能を備える。突出壁８０Ｆ１は、前壁８０Ｆから後方に向かって突設されたリブである。突出壁８０Ｆ１は、前後方向に所定の幅をもって左右方向に延伸される。突出壁８０Ｆ１は、振動モーター８１２Ａの下方に進入するように突設されている。後スポンジ９２は、後壁８０Ｒの内壁部に配置されたスポンジ部材である。後スポンジ９２は、略角柱形状からなり、左右方向に延設される。後スポンジ９２は、後壁８０Ｒと後記のシール９６との間でトナーの漏れを防止する。また、後スポンジ９２は、フレーム８１０の振動がハウジング８０に伝達されることを防止する。
【００６３】
また、フレーム８１０は、左屈曲部８１０Ｃ１と、下スポンジ９１と、シール９６とを備える。左屈曲部８１０Ｃ１は、左フレーム８１０Ｃの下端部が、右方に屈曲されることで形成される。左屈曲部８１０Ｃ１は、第１フィルター８１１を下方から支持し、第１フィルター８１１がフレーム８１０から落下することを防止する。下スポンジ９１は、左屈曲部８１０Ｃ１の下面部に貼り付けられたスポンジ部材である。下スポンジ９１は、略角柱形状からなり、前後方向に延設される。下スポンジ９１は、左リブ８０Ｃ１と左屈曲部８１０Ｃ１との間でトナーの漏れを防止する。また、下スポンジ９１は、フレーム８１０の振動がハウジング８０に伝達されることを防止する。シール９６は、後フレーム８１０Ｂの外壁面に貼り付けられたシート部材である。シール９６は、左右方向に沿って、後フレーム８１０Ｂから下方に突出して配置される。シール９６は、後スポンジ９２に当接する。この結果、シール９６は、トナーがフレーム８１０よりも後方に形成された隙間Ｇを通過することを防止する。
【００６４】
フレーム８１０の右端部側、すなわち、右フレーム８１０Ｄ周辺も上記と同様の構成を備える。なお、図７では、第１フィルター８１１の下方に左屈曲部８１０Ｃ１、下スポンジ９１および左リブ８０Ｃ１が配置されているが、実際には、これらの部材は第１フィルター８１１の左端縁の下方に配置されており、第１フィルター８１１の中央部は、フィルター下面部８１１Ｂが下方に露出している。第１フィルター８１１の右端縁側も同様である。
【００６５】
更に、図７を参照して、振動モーター８１２Ａは、前フレーム８１０Ａに配置される。詳しくは、振動モーター８１２Ａは、前フレーム８１０Ａの上側の端縁である固定端縁８１０Ａ１（図６）に配置される。また、フィルター軸部９５が、左フレーム８１０Ｃおよび右フレーム８１０Ｄの後端かつ下端に配置されることによって（図６）、フレーム８１０の回転支点ＲＬ（図６）が後フレーム８１０Ｂの下端側に配置される（図７）。
【００６６】
なお、第２フィルター部８２においても、第１フィルター部８１と同様に、不図示のフレームに、第２フィルター８２０（図５）が包持されている。また、第２フィルター８２０、上部排気フィルター８５１および下部排気フィルター８５２も、第１フィルター８１１と同様の粉塵用フィルターからなる。
【００６７】
次に、トナー回収ユニット８における空気流およびトナーの流れについて説明する。画像形成装置１の電源がオンされ、不図示の制御部によって、現像装置３２４の現像ローラー１０１および不図示の撹拌スクリューが回転されると、前記制御部によって、第１ファン８３および第２ファン８４が回転される。この結果、現像装置３２４から回収ダクト７を介してトナー回収ユニット８に、飛散トナーを含む空気流がもたらされる。流入口８００からハウジング８０に流入した空気流（図５の矢印Ｄ５０）は、上部ダクト８０１からダクト下降部８０２に流入する（矢印Ｄ５１）。前記空気流は、ダクト下降部８０２において一旦下降された後（矢印Ｄ５２）、導入部８０２Ｔを介して、下部ダクト８０３の側方部分から下部ダクト８０３に流入する（矢印Ｄ５３）。下部ダクト８０３は、前記空気流を下方から上方に向かって誘導する（矢印Ｄ５４）。そして、下部ダクト８０３の上方に配置された第１フィルター部８１の第１フィルター８１１を前記空気流が通過する際に、トナーが第１フィルター８１１に捕集される。また、第１フィルター８１１を通過した空気流（矢印Ｄ５５）は、第２フィルター部８２の第２フィルター８２０を通過する。この際、第１フィルター８１１によって捕集しきれなかったトナーが、第２フィルター８２０によって捕集される。
【００６８】
第２フィルター部８２の第２フィルター８２０を通過した空気流は、ダクト上昇部８０Ｕの右側および左側において、それぞれ第１ファン８３および第２ファン８４に流入する（矢印Ｄ５７、Ｄ５８）。そして、前記空気流は、第１ファン８３および第２ファン８４によって、左方に向かって排出される（矢印Ｄ５９）。その後、前記空気流は、排気部８５に流入し、上部排気フィルター８５１および下部排気フィルター８５２を通過して、ハウジング８０の外部に排気される（矢印ＤＡ１、ＤＡ２）。
【００６９】
このように、本実施形態では、空気流とともにハウジング８０の内部に流入したトナーが、第１ファン８３および第２ファン８４の上流側に配置された第１フィルター部８１によって捕集される。更に、空気流の流れの経路上において、第１ファン８３および第２ファン８４の上流側および下流側には、第２フィルター部８２、上部排気フィルター８５１および下部排気フィルター８５２が配置される。このため、前記トナーが確実に回収され、ハウジング８０の外部にトナーが排出されることが一層抑止される。したがって、画像形成装置１の内部または外部において、飛散トナーによる汚染が好適に抑止される。
【００７０】
トナー回収ユニット８の使用に伴って、空気流の流れの経路上の中で最も上流に配置される第１フィルター部８１の第１フィルター８１１には、多くのトナーが捕集される。第１フィルター８１１が目詰まりを起こすと、トナーの回収性能が低下してしまう。このため、本実施形態では、前記制御部が、第１ファン８３および第２ファン８４が回転していないタイミングで、振動ユニット８１２を駆動させる。振動ユニット８１２の駆動によって、フレーム８１０（図６）を介して、第１フィルター８１１が振動する。このため、振動ユニット８１２が第１フィルター８１１を直接振動させる場合と比較して、第１フィルター８１１に安定して振動が伝達される。この結果、第１フィルター８１１の特に下面（フィルター下面部８１１Ｂ）に付着したトナーが、振動によって下方に落下（脱離）する。このように、本実施形態によれば、フレーム８１０の振動によって、第１フィルター８１１に確実に振動を伝達することが可能となる。
【００７１】
更に、本実施形態では、フレーム８１０はフィルター軸部９５回りに回動可能とされながら、自重によって左リブ８０Ｃ１（図７）に当接している。このため、振動モーター８１２Ａの回転振動が、フレーム８１０のフィルター軸部９５回りの振動に変換される。この結果、第１フィルター８１１に捕集されたトナーが、前記振動によって第１フィルター８１１から好適に脱離される。したがって、第１フィルター８１１の目詰まりが防止され、トナー回収ユニット８の回収性能が安定して維持される。また、図７に示すように、モーター軸８１２Ｂの軸方向とフィルター軸部９５の軸方向とが平行に設定されているため、振動モーター８１２Ａから発生されたモーター軸８１２Ｂ回りの回転振動（図７の矢印ＤＭ）が、第１フィルター部８１のフィルター軸部９５回りの振動（図７の矢印ＤＦ）に効率的に変換される。この際、図７に示すように、錘８１２Ｃが第１フィルター８１１に近い領域を通過する際に、錘８１２Ｃが下方から上方に向かって移動することによって、フレーム８１０を上方に浮き上がらせることが可能となる。この結果、よりフレーム８１０の振動が増大される。
【００７２】
また、本実施形態では、振動モーター８１２Ａは前フレーム８１０Ａに配置され、フィルター軸部９５は前フレーム８１０Ａよりも後フレーム８１０Ｂ側に配置される。また、振動モーター８１２Ａのモーター軸８１２Ｂは、第１フィルター８１１の前側の側面と平行に配置される。この結果、振動モーター８１２Ａが、フレーム８１０のフィルター軸部９５回りの回動における径方向において、フィルター軸部９５から遠い領域（外周部近傍）に配置されることとなる。換言すれば、フレーム８１０のうちフィルター軸部９５から最も遠い領域を振動モーター８１２Ａが振動させるため、フレーム８１０の振動における振動が増大され、フレーム８１０の振動がより効率的に実現される。特に、振動モーター８１２Ａは、前フレーム８１０Ａの上側の端縁（固定端縁８１０Ａ１、図６）に配置され、回転支点ＲＬは後フレーム８１０Ｂの下端側に配置される。このため、フレーム８１０を介して振動モーター８１２Ａと回転支点ＲＬ（フィルター軸部９５）とが対角の位置に配置される。この結果、フレーム８１０のフィルター軸部９５回りの回動における径方向おいて、最もフィルター軸部９５から遠い位置に振動モーター８１２Ａが配置されることとなり、フレーム８１０の振動が更に効率的に実現される。
【００７３】
また、前述のように本実施形態では、フレーム８１０とハウジング８０との間には、各スポンジが配置される。このため、振動ユニット８１２がフレーム８１０を介して第１フィルター８１１を振動させる振動が、ハウジング８０に伝達されることが抑止される。この結果、前記振動によるハウジング８０の振動音の発生が防止される。また、各スポンジのシール機能によって、フレーム８１０の外側を空気流とともにトナーが通過することが抑止される。
【００７４】
また、第１フィルター８１１のフィルター下面部８１１Ｂは、下方に面して配置されているため、前記落下したトナーが第１フィルター８１１に再付着することが抑止される。この結果、第１フィルター８１１の目詰まりが可及的に防止されるとともに、トナーを安定して回収することが可能となる。更に、前述のように、導入部８０２Ｔは、流入口８００から流入した空気流を、下部ダクト８０３の側方部分から下部ダクト８０３に流入させる。そして、振動ユニット８１２の振動によって第１フィルター８１１から落下したトナーは、底部８０Ｔに貯留される。底部８０Ｔは、導入部８０２Ｔよりも下方の下部ダクト８０３に配置される。このため、底部８０Ｔに貯留されたトナーが下部ダクト８０３への空気流の流れを妨げることが抑止される。
【００７５】
なお、画像形成装置１におけるトナー回収ユニット８の配置について付言すると、図１、図２および図５を参照して、ハウジング８０のダクト下降部８０２とダクト上昇部８０Ｕとは、ハウジング８０の内部において水平方向において隣接して配置される。そして、流入口８００から流入した空気流は、ダクト下降部８０２において一旦下降された後、ダクト上昇部８０Ｕにおいて上昇される。したがって、前記空気流を確実に上昇気流とすることができる。また、ハウジング８０の内部に、ダクト下降部８０２とダクト上昇部８０Ｕが隣接して配置され、ハウジング８０の省スペース化が実現される。
【００７６】
更に、画像形成装置１の給紙部４０は、現像装置３２４よりも下方に配置される。また、トナー回収ユニット８の流入口８００は、鉛直方向において現像装置３２４と略同じ高さに配置される。また、トナー回収ユニット８のダクト下降部８０２およびダクト上昇部８０Ｕは、水平方向において給紙部４０に対向して配置される。このため、現像装置３２４の後方において、画像形成装置１の給紙部４０の高さを利用して、流入口８００から流入した空気流を確実に上昇気流とすることができる。
【００７７】
以上、本発明の実施形態に係るトナー回収ユニット８およびこれを備える画像形成装置１について説明したが、本発明はこれに限定されるものではなく、例えば次のような変形実施形態を取ることができる。
【００７８】
（１）上記の実施形態では、第１フィルター８１１が水平方向に沿って配置される態様にて説明したが、本発明はこれに限定されるものではない。図８は、本発明の変形実施形態に係るトナー回収ユニット８Ｚの断面図である。先の実施形態と同様に、第１フィルター８１１Ｚはフレーム８１０Ｚに包持されている。振動モーター８１２ＡＺは、前フレーム８１０ＡＺに配置されている。一方、フィルター軸部９５Ｚは、後フレーム８１０ＢＺ側に配置されている。そして、振動モーター８１２Ａの振動によって、フレーム８１０Ｚはフィルター軸部９５Ｚ回りに振動可能とされる。
【００７９】
更に、本変形実施形態では、第１フィルター８１１Ｚのフィルター上面部８１１ＡＺが後フレーム８１０ＢＺ側から前フレーム８１０ＡＺ側に向かって先下がりに傾斜するように、フレーム８１０Ｚがハウジング８０Ｚに支持されている。先の実施形態と同様に、フィルター下面部８１１ＢＺ付近に付着したトナーは、振動モーター８１２ＡＺの振動によって下方に落下しやすい。一方、フィルター上面部８１１ＡＺ付近に付着したトナーは、振動モーター８１２ＡＺの振動によって、フィルター上面部８１１ＡＺの表面に浮き上がることがある。この場合、再び飛散トナーの回収動作が開始されると、上記の浮き上がったトナーが空気流の経路上の下流側のファンの内部に流入する場合がある。しかしながら、本変形実施形態では、上記のようにフィルター上面部８１１ＡＺが傾斜して配置されている。このため、第１フィルター８１１Ｚのフィルター上面部８１１ＡＺの近傍に捕集されていたトナーは、フレーム８１０Ｚの振動によって、前フレーム８１０ＡＺ側に移動し、振動モーター８１２ＡＺに近づくこととなる。そして、前記トナーは、より振動モーター８１２ＡＺに近い位置で振動されることによって、第１フィルター８１１Ｚの内部を下方に移動しながらフィルター下面部８１１ＢＺから下方に脱離される。このため、第１フィルター８１１Ｚのフィルター上面部８１１ＡＺ側に捕集されていたトナーを第１フィルター８１１の下方に効率的に脱離させることができる。
【００８０】
この際、フィルター軸部９５Ｚは振動モーター８１２ＡＺよりも上方に配置されていることが望ましい。この場合、フィルター軸部９５Ｚよりも下方において振動モーター８１２ＡＺが回転振動するため、第１フィルター８１１Ｚのフィルター上面部８１１ＡＺの近傍に捕集されていたトナーを、より効率的に前フレーム８１０ＡＺ側に移動させることができる。
【００８１】
（２）また、上記の実施形態では、フレーム８１０からフィルター軸部９５が突設される態様にて説明したが、本発明はこれに限定されるものではない。フレーム８１０に不図示の軸受部が開口され、ハウジング８０から前記軸受部に挿通される回転軸部が突設される態様であってもよい。また、フレーム８１０を支持する支持部は、左リブ８０Ｃ１に限定されるものではない。フレーム８１０のフィルター軸部９５回りの回動に対して、回り止め機能を備える他の部材がハウジング８０に配置されてもよい。また、フレーム８１０の振動を補うバネ部材などがフレーム８１０とハウジング８０との間に設けられてもよい。更に、下スポンジ９１は、フレーム８１０側に固定されても、ハウジング８０側に固定されてもよい。
【００８２】
（３）また、上記の実施形態では、空気流は排気部８５から水平方向に排気される態様で説明したが、本発明はこれに限定されるものではない。前記空気流は排気部８５から他の方向に向かって排気されてもよい。また、第１ファン８３および第２ファン８４に代表されるファンの数は、２つに限定されるものではない。
【００８３】
（４）また、上記の実施形態では、第１フィルター８１１を振動させる振動手段として、振動ユニット８１２を用いて説明したが、本発明はこれに限定されるものではない。振動手段として、フレーム８１０に周期的に当接するカム部材や、ソレノイドなどが適用されてもよい。
【符号の説明】
【００８４】
１  画像形成装置
１０  装置本体
３０  画像形成部
７  回収ダクト
７０  メインダクト
７０Ａ  ブラック用排気風路
７１  イエローダクト
７２  マゼンタダクト
７３  シアンダクト
７４  ブラックダクト
８、８Ｚ  トナー回収ユニット（トナー回収装置）
８０、８０Ｚ  ハウジング
８０Ｃ  左壁
８０Ｃ１  左リブ
８０Ｄ  右壁
８０Ｄ１  右内壁
８０Ｆ  前壁
８０Ｆ１  突出壁
８０Ｒ  後壁
８０Ｔ  底部（貯留部）
８０Ｕ  ダクト上昇部
８１  第１フィルター部
８２  第２フィルター部
８３  第１ファン（ファン）
８４  第２ファン（ファン）
８５  排気部
９５、９５Ｚ  フィルター軸部（軸部）
９６  シール
８００  流入口
８０１  上部ダクト
８０２  ダクト下降部
８０２Ｔ  導入部
８０３  下部ダクト（誘導ダクト部）
８１０、８１０Ｚ  フレーム（ホルダー）
８１０Ａ、８１０ＡＺ  前フレーム（第１の壁部）
８１０Ａ１  固定端縁（端縁）
８１０Ｂ、８１０ＢＺ  後フレーム（第２の壁部）
８１０Ｃ  左フレーム
８１０Ｃ１  左屈曲部
８１０Ｄ  右フレーム
８１１、８１１Ｚ  第１フィルター（フィルター）
８１１Ａ、８１１ＡＺ  フィルター上面部（排気面）
８１１Ｂ、８１１ＢＺ  フィルター下面部（進入面）
８１２  振動ユニット
８１２Ａ、８１２ＡＺ  振動モーター（振動手段）
８１２Ｂ  モーター軸（回転軸）
８１２Ｃ  錘
ＲＬ  回転支点
【図１】
2014228825.tif 000003
【図５】
2014228825.tif 000004
【図６】
2014228825.tif 000005
【図７】
2014228825.tif 000006
【図８】
2014228825.tif 000007
【図２】
2014228825.tif 000008
【図３】
2014228825.tif 000009
【図４】
2014228825.tif 000010